(57)【特許請求の範囲】
【請求項１】
メータを接続する接続部と、他の無線機と無線通信を行う無線通信部とを備え、前記接続部に接続されたメータと前記他の無線機との間で、送信元アドレス又は送信先アドレスに前記メータの識別子が指定されたパケットを中継する無線機において、
前記メータの固有の識別子である固有ＩＤ、及び前記メータについて設定された識別子である設定ＩＤを関連付けて記憶する記憶部と、
前記メータから受信したパケットの送信元アドレスに前記固有ＩＤが指定されている場合、該固有ＩＤを前記設定ＩＤに書き換え、前記他の無線機から受信したパケットの送信先アドレスに前記設定ＩＤが指定されている場合、該設定ＩＤを前記固有ＩＤに書き換えるアドレス書換部と
を備えることを特徴とする無線機。
【請求項２】
自機の固有の識別子である無線機ＩＤを記憶するＩＤ記憶部と、
該ＩＤ記憶部に記憶された無線機ＩＤから前記メータの設定ＩＤを生成するＩＤ生成部
を備え、
前記ＩＤ生成部が生成した前記設定ＩＤを前記固有ＩＤに関連付けて前記記憶部に記憶させることを特徴とする請求項１に記載の無線機。
【請求項３】
前記ＩＤ生成部は、
前記無線機ＩＤと一部が共通する設定ＩＤを生成する
ことを特徴とする請求項２に記載の無線機。
【請求項４】
メータが接続されたメータ接続無線機と、該メータ接続無線機と無線網を介して通信可能であると共に、前記無線網とは異なる通信網に接続された外部通信装置と通信可能であるゲートウェイ無線機とを備え、前記メータと前記外部通信装置との間で送受され、送信元アドレス又は送信先アドレスに前記メータの識別子が指定されたパケットを前記メータ接続無線機及び前記ゲートウェイ無線機により中継する無線テレメータシステムにおいて、
前記メータ接続無線機は、
前記メータの固有の識別子である固有ＩＤ、及び前記メータについて設定された識別子である設定ＩＤを関連付けて記憶する記憶部と、
前記メータから受信したパケットの送信元アドレスに前記固有ＩＤが指定されている場合、該固有ＩＤを前記設定ＩＤに書き換え、前記無線網を通じて受信したパケットの送信先アドレスに前記設定ＩＤが指定されている場合、該設定ＩＤを前記固有ＩＤに書き換えるアドレス書換部と
を備えることを特徴とする無線テレメータシステム。
【請求項５】
前記メータ接続無線機は、
前記無線網内で前記メータ接続無線機を識別するために付与された無線機番号と、前記メータ接続無線機の固有の識別子である無線機ＩＤとを記憶するＩＤ記憶部と、
該ＩＤ記憶部に記憶された無線機ＩＤと一部が共通するように前記メータの設定ＩＤを生成するＩＤ生成部と
を備え、
前記ゲートウェイ無線機は、
前記無線機ＩＤ及び前記設定ＩＤの共通部分を、前記無線機番号に関連付けて記憶するテーブル
を備える
ことを特徴とする請求項４に記載の無線テレメータシステム。
【発明の詳細な説明】
【技術分野】
【０００１】
本発明は、メータにて計測されたガス、水道、電気などの使用量を無線網を利用してセンタ側の通信装置へ送信する無線機及び無線テレメータシステムに関する。
【背景技術】
【０００２】
ガス、水道、電気等の検針用に開発された無線テレメータシステムが知られている（例えば、特許文献１を参照）。無線テレメータシステムは、センタ側の構成として、ホストコンピュータ、センタ網制御装置等を備え、端末側の構成として、無線親機、無線子機等を備える。センタ側のホストコンピュータと端末側の無線親機との間は、公衆電話網、ＰＨＳ（Personal Handyphone System）網、ＦＯＭＡ（Freedom Of Mobile multimedia Access）網などの広域通信網を介して通信可能に接続される。また、端末側の無線親機及び各無線子機は狭域無線網を形成し、互いに通信可能に接続される。
【０００３】
各無線子機には、各需要家に供給されるガス、水道、電気等の供給物の使用量を計測するメータが接続される。各メータは、計測結果（検針値）を取得した場合、取得した検針値を含むパケットを送信する。各メータから送信されるパケットは、メータが接続された無線子機を含む１又は複数の無線子機、並びに無線親機を経由して、センタ側のホストコンピュータに到達する。
【先行技術文献】
【特許文献】
【０００４】
【特許文献１】特開２０１１−２８７８号公報
【発明の概要】
【発明が解決しようとする課題】
【０００５】
従来の無線テレメータシステムでは、ホストコンピュータ（センタ）及びメータ間において、互いの固有ＩＤを送信元アドレス又は送信先アドレスに指定してパケットの送受信を行う。センタでは、検針値を含むメータからのパケットを受信した場合、メータのメータＩＤに関連付けて検針値を管理することが可能である。その一方で、ガス等を供給する事業者の中には、需要家の電話番号、住所、需要家毎に付与したＩＤ等の需要家を特定するための情報（以下、需要家ＩＤという）を、メータＩＤに関連付けて管理していない事業者も存在する。この場合、検針値を通信により取得したとしても、どの需要家の検針値が得られたのかを特定することができないという問題点を有している。
【０００６】
本発明は、斯かる事情に鑑みてなされたものであり、メータＩＤをセンタ側に登録することなく、需要家毎に設置されたメータの検針値を管理することができる無線機及び無線テレメータシステムを提供することを目的とする。
【課題を解決するための手段】
【０００７】
本願の無線機は、メータを接続する接続部と、他の無線機と無線通信を行う無線通信部とを備え、前記接続部に接続されたメータと前記他の無線機との間で、送信元アドレス又は送信先アドレスに前記メータの識別子が指定されたパケットを中継する無線機において、前記メータの固有の識別子である固有ＩＤ、及び前記メータについて設定された識別子である設定ＩＤを関連付けて記憶する記憶部と、前記メータから受信したパケットの送信元アドレスに前記固有ＩＤが指定されている場合、該固有ＩＤを前記設定ＩＤに書き換え、前記他の無線機から受信したパケットの送信先アドレスに前記設定ＩＤが指定されている場合、該設定ＩＤを前記固有ＩＤに書き換えるアドレス書換部とを備えることを特徴とする。
【０００８】
本願の無線機は、自機の固有の識別子である無線機ＩＤを記憶するＩＤ記憶部と、該ＩＤ記憶部に記憶された無線機ＩＤから前記メータの設定ＩＤを生成するＩＤ生成部を備え、前記ＩＤ生成部が生成した前記設定ＩＤを前記固有ＩＤに関連付けて前記記憶部に記憶させることを特徴とする。
【０００９】
本願の無線機は、前記ＩＤ生成部は、前記無線機ＩＤと一部が共通する設定ＩＤを生成することを特徴とする。
【００１０】
本願の無線テレメータシステムは、メータが接続されたメータ接続無線機と、該メータ接続無線機と無線網を介して通信可能であると共に、前記無線網とは異なる通信網に接続された外部通信装置と通信可能であるゲートウェイ無線機とを備え、前記メータと前記外部通信装置との間で送受され、送信元アドレス又は送信先アドレスに前記メータの識別子が指定されたパケットを前記メータ接続無線機及び前記ゲートウェイ無線機により中継する無線テレメータシステムにおいて、前記メータ接続無線機は、前記メータの固有の識別子である固有ＩＤ、及び前記メータについて設定された識別子である設定ＩＤを関連付けて記憶する記憶部と、前記メータから受信したパケットの送信元アドレスに前記固有ＩＤが指定されている場合、該固有ＩＤを前記設定ＩＤに書き換え、前記無線網を通じて受信したパケットの送信先アドレスに前記設定ＩＤが指定されている場合、該設定ＩＤを前記固有ＩＤに書き換えるアドレス書換部とを備えることを特徴とする。
【００１１】
本願の無線テレメータシステムは、前記メータ接続無線機は、前記無線網内で前記メータ接続無線機を識別するために付与された無線機番号と、前記メータ接続無線機の固有の識別子である無線機ＩＤとを記憶するＩＤ記憶部と、該ＩＤ記憶部に記憶された無線機ＩＤと一部が共通するように前記メータの設定ＩＤを生成するＩＤ生成部とを備え、前記ゲートウェイ無線機は、前記無線機ＩＤ及び前記設定ＩＤの共通部分を、前記無線機番号に関連付けて記憶するテーブルを備えることを特徴とする。
【発明の効果】
【００１２】
本願によれば、メータＩＤをセンタ側に登録することなく、需要家毎に設置されたメータの検針値を管理することができる。
【図面の簡単な説明】
【００１３】
【図１】本実施の形態１に係る無線テレメータシステムの全体構成を示すブロック図である。
【図２】ＮＣＵの内部構成を示すブロック図である。
【図３】ゲートウェイ無線機の内部構成を示すブロック図である。
【図４】無線機の内部構成を示すブロック図である。
【図５】参考例として示す従来の無線テレメータシステムの動作を説明する模式的説明図である。
【図６】変換テーブルの一例を示す概念図である。
【図７】狭域無線網内に無線機を新たに設置する際の手順を説明するタイミングチャートである。
【図８】センタからメータ宛にパケットを送信する際の手順を説明するタイミングチャートである。
【図９】メータからセンタ宛のパケットを送信する際の手順を説明するタイミングチャートである。
【図１０】実施の形態２における設定ＩＤの登録例を説明する説明図である。
【図１１】実施の形態３における設定ＩＤの登録例を説明する説明図である。
【図１２】実施の形態３に係るゲートウェイ無線機が備えるＩＤ管理テーブルの一例を示す概念図である。
【図１３】センタからメータ宛にパケットを送信する際の手順を説明するタイミングチャートである。
【図１４】固有ＩＤを持たない機器の登録例を説明する説明図である。
【図１５】交換無線機に対する無線機番号の設定手順を説明するタイミングチャートである。
【図１６】交換前の無線機に関するメータ管理テーブル及び無線機管理テーブルの一例を示す概念図である。
【図１７】交換後の無線機に関するメータ管理テーブル及び無線機管理テーブルの一例を示す概念図である。
【図１８】設置時に無線機が実行する処理の手順を説明するフローチャートである。
【図１９】無線機に対する無線機番号の設定手順を説明するタイミングチャートである。
【発明を実施するための形態】
【００１４】
以下、本発明をその実施の形態を示す図面に基づいて具体的に説明する。
（実施の形態１）
図１は実施の形態１に係る無線テレメータシステムの全体構成を示すブロック図である。本実施の形態に係る無線テレメータシステムは、端末側の構成として、ＮＣＵ２０（NCU : Network Control Unit）、ゲートウェイ無線機２１、複数の無線機２２，２２，…，２２及びメータ２３，２３，…，２３を備える。メータ２３は、例えば個人宅、会社、各種施設等の需要家毎に設置され、ガス、水道、電気等の使用量を計測し、計測結果（検針値）を出力する計測器である。無線テレメータシステムでは、メータ２３の検針値を示すデータ、無線機２２の動作状態を示すデータなど端末側から出力される各種データを、無線通信を利用してセンタ１０へ送信すると共に、無線機２２及びメータ２３の動作を制御するための制御指令等を含んだ各種データをセンタ１０から端末側へ送信する。
【００１５】
センタ１０は、例えば、ＰＨＳ網、ＦＯＭＡ網などの広域無線網Ｎ１を介して端末側と通信を行う通信装置、端末側から送信されるデータを蓄積する記憶装置を含む（不図示）。
【００１６】
ＮＣＵ２０は、広域無線網Ｎ１に接続され、広域無線網Ｎ１を介してセンタ１０と無線通信を行う。なお、ＮＣＵ２０とセンタ１０との間の通信は無線通信に限らず、有線の通信であってもよい。この場合、ＮＣＵ２０及びセンタ１０は有線の通信網により接続される。
【００１７】
ゲートウェイ無線機２１とＮＣＵ２０とは、Ｕバス等のバスラインを介して接続される。ゲートウェイ無線機２１は、バスラインを介して接続されたＮＣＵ２０を通じて、センタ１０と通信が行えるように構成されている。
【００１８】
また、ゲートウェイ無線機２１は、無線機２２，２２，…，２２により構築される狭域無線網Ｎ２に参加することにより、各無線機２２，２２，…，２２と通信が行えるように構成されている。なお、狭域無線網Ｎ２に属するゲートウェイ無線機２１及び各無線機２２，２２，…，２２は、狭域無線網Ｎ２内でそれぞれを識別するための識別子として、番号発行無線機３０より発行される無線機番号を有するものとする。ゲートウェイ無線機２１及び各無線機２２，２２，…，２２は、無線機番号により指定した通信相手と無線通信を行う。
【００１９】
各無線機２２は、それぞれに接続されているメータ２３から検針値を含むパケット（検針パケットともいう）をバスラインを通じて受信した場合、狭域無線網Ｎ２を介してゲートウェイ無線機２１へ送信する。このとき、各無線機２２から送信されるパケットは、直接的又は１又は複数の他の無線機２２を経由して、ゲートウェイ無線機２１に到達する。ゲートウェイ無線機２１は、狭域無線網Ｎ２を通じて無線機２２から送信されるパケットを受信した場合、及び自機においてセンタ１０へ通知すべきイベントが発生した場合等において、ＮＣＵ２０を通じてセンタ１０との通信を行い、所望のパケットをセンタ１０へ送信する。
【００２０】
なお、以下の説明において、ゲートウェイ無線機２１及び無線機２２を区別して説明する必要がない場合には、単に無線機とも記載する。
【００２１】
図２はＮＣＵ２０の内部構成を示すブロック図である。ＮＣＵ２０は、制御部２００、記憶部２０１、広域無線通信部２０２、接続部２０３、表示部２０４、操作部２０５などを備える。ＮＣＵ２０が備えるハードウェア各部は、図に示していない内蔵電池又は外部電源から供給される電力により動作するように構成されている。
【００２２】
制御部２００は、例えば、ＣＰＵ（Central Processing Unit）、ＲＯＭ（Read Only Memory）などを備える。制御部２００内のＣＰＵは、ＲＯＭに予め格納された制御プログラムを実行することにより、機器全体を本願の中継装置として機能させる。また、制御部２００は、日時情報を出力する時計手段、計測開始指示を与えてから計測終了指示を与えるまでの経過時間を計測するタイマ、数をカウントするカウンタ等の機能を備えていてもよい。
【００２３】
記憶部２０１は、例えば、ＥＥＰＲＯＭ（Electronically Erasable Programmable Read Only Memory）などの不揮発性メモリにより構成されており、ＮＣＵ２０の動作に関する設定情報、接続部２０３に接続されたゲートウェイ無線機２１のアドレス等の情報などを記憶するともに、狭域無線網Ｎ２に設置された各メータ２３，２３，…，２３のＩＤ（メータＩＤ）等の情報を記憶するメータ管理テーブルを備える。
【００２４】
広域無線通信部２０２は、アンテナ２０２ａを通じて電波を発信または受信することによって、センタ１０との通信を行う。例えば、メータ２３から送信されるパケットをゲートウェイ無線機２１を通じて受信した場合、広域無線通信部２０２は、アンテナ２０２ａを駆動して電波を発信させることより、広域無線網Ｎ１の通信規格に準拠した形式のパケットをセンタ１０へ送信する。
【００２５】
また、広域無線通信部２０２は、アンテナ２０２ａにて電波を受信した場合、受信した電波をデコードすることにより所定の形式のデータを取得する。広域無線通信部２０２は、受信電波をデコードして得られるデータを制御部２００へ出力する。制御部２００は、広域無線通信部２０２から出力されたデータを取得した場合、そのデータに基づいて各種の制御を行う。
【００２６】
接続部２０３は、Ｕバスなどのバスラインを介して各種機器を接続するインタフェースを備える。本実施の形態では、後述するゲートウェイ無線機２１が接続部２０３に接続されているものとする。
【００２７】
表示部２０４は、ＬＥＤランプ（LED : Light Emitting Diode）、液晶表示パネル等により構成されており、制御部２００から出力される制御信号に基づいて、ＮＣＵ２０の設置作業及び保守作業を行う作業員等に通知すべき情報を表示する。
【００２８】
操作部２０５は、ディップスイッチ等の各種スイッチ、ボタンにより構成されており、作業員等による各種の設定操作を受付ける。制御部２００は、操作部２０５から入力される設定内容を基に適宜の制御を行い、必要に応じて設定内容を記憶部２０１に記憶させる。
【００２９】
図３はゲートウェイ無線機２１の内部構成を示すブロック図である。ゲートウェイ無線機２１は、制御部２１０、記憶部２１１、接続部２１２、狭域無線通信部２１３、表示部２１４、操作部２１５などを備える。ゲートウェイ無線機２１が備えるハードウェア各部は、図に示していない内蔵電池又は外部電源から供給される電力により動作するように構成されている。
【００３０】
制御部２１０は、例えば、ＣＰＵ、ＲＯＭなどを備える。制御部２１０内のＣＰＵは、ＲＯＭに予め格納された制御プログラムを実行することにより、上述したハードウェア各部の動作を制御する。また、制御部２１０は、日時情報を出力する時計手段、計測開始指示を与えてから計測終了指示を与えるまでの経過時間を計測するタイマ、数をカウントするカウンタ等の機能を備えていてもよい。
【００３１】
記憶部２１１は、例えば、ＥＥＰＲＯＭなどの不揮発性メモリにより構成されており、ゲートウェイ無線機２１の動作に関する設定情報、ゲートウェイ無線機２１の固有の識別子である固有ＩＤ、番号発行無線機３０より発行された無線機番号等を記憶する。また、記憶部２１１は、通信の際に参照する各種テーブルを備える。記憶部２１１が備えるテーブルには、例えば、各無線機２２，２２，…，２２の無線機番号と、ゲートウェイ無線機２１から各無線機２２，２２，…，２２に至るホップ数とを関連付けて記憶するホップ数テーブルが含まれる。
【００３２】
接続部２１２は、ゲートウェイ無線機２１をＮＣＵ２０側の接続部２０３に接続するためのインタフェースを備える。ゲートウェイ無線機２１は、Ｕバス等のバスラインを介して接続部２１２に接続されたＮＣＵ２０とパケットの送受信を行う。
【００３３】
狭域無線通信部２１３は、アンテナ２１３ａを通じて電波を発信または受信することによって、無線機２２，２２，…，２２と所定の無線通信方式にて無線通信を行う。無線通信方式としては、例えばＵバスエアの規格に準拠した通信方式が採用される。ゲートウェイ無線機２１の狭域無線通信部２１３は、無線機２２から送信されるパケットを受信することが可能である場合、ゲートウェイ無線機２１の無線機番号を含むＩＤ通知信号（ＲＮＯ）を間欠的に送信する。また、狭域無線通信部２１３は、無線機２２から送信されるＲＮＯを受信した場合であって、自機が送信すべきパケットを有するとき、当該パケットをＲＮＯの送信元へ送信する。
【００３４】
表示部２１４は、ＬＥＤランプ、液晶表示パネル等により構成されており、制御部２１０から出力される制御信号に基づいて、ゲートウェイ無線機２１の設置作業及び保守作業を行う作業員等に通知すべき情報を表示する。
【００３５】
操作部２１５は、ディップスイッチ等の各種スイッチ、ボタンにより構成されており、作業員等による各種の設定操作を受付ける。制御部２１０は、操作部２１５から入力される設定内容を基に適宜の制御を行い、必要に応じて設定内容を記憶部２１１に記憶させる。
【００３６】
図４は無線機２２の内部構成を示すブロック図である。無線機２２は、制御部２２０、記憶部２２１、狭域無線通信部２２２、接続ポート２２３、表示部２２４、操作部２２５などを備える。無線機２２が備えるハードウェア各部は、電池２２９から供給される電力により動作するように構成されている。
【００３７】
制御部２２０は、例えば、ＣＰＵ、ＲＯＭなどを備える。制御部２２０内のＣＰＵは、ＲＯＭに予め格納された制御プログラムを実行することにより、機器全体を本発明に係る無線機として機能させる。また、制御部２２０は、日時情報を出力する時計手段、計測開始指示を与えてから計測終了指示を与えるまでの経過時間を計測するタイマ、数をカウントするカウンタ等の機能を備えていてもよい。
【００３８】
記憶部２２１は、例えば、ＥＥＰＲＯＭなどの不揮発性メモリにより構成されており、各種動作に関する設定情報、自機の固有の識別子である固有ＩＤ、番号発行無線機３０より発行された無線機番号等を記憶する。また、記憶部２２１は、通信の際に参照する各種テーブルを備える。記憶部２２１が備えるテーブルには、例えば、他の無線機の無線機番号と、自機から他の無線機に至るホップ数とを関連付けて記憶するホップ数テーブルが含まれる。
【００３９】
狭域無線通信部２２２は、アンテナ２２２ａを通じて電波を発信または受信することによって、ゲートウェイ無線機２１及び他の無線機２２，２２，…，２２との間で所定の無線通信方式にて無線通信を行う。無線通信方式としては、例えばＵバスエアの規格に準拠した通信方式が採用される。無線機２２の狭域無線通信部２２２は、自機がゲートウェイ無線機２１又は他の無線機２２から送信されるデータを受信することが可能である場合、ＲＮＯ（自機の無線機番号）を間欠的に送信する。また、狭域無線通信部２２２は、ゲートウェイ無線機２１又は他の無線機２２から送信されるＲＮＯを受信した場合であって、自機が送信すべきパケットを有するとき、当該パケットをＲＮＯの送信元へ送信する。
【００４０】
接続ポート２２３は、ガス、水道、電気等の使用量を計測するためのメータ２３を接続するインタフェースを備える。無線機２２は、Ｕバス等のバスラインを介して接続ポート２２３に接続されたメータ２３との間でパケットの送受信を行う。
【００４１】
表示部２２４は、ＬＥＤランプ、液晶表示パネル等により構成されており、制御部２２０から出力される制御信号に基づいて、無線機２２の設置作業及び保守作業を行う作業員等に通知すべき情報を表示する。
【００４２】
操作部２２５は、ディップスイッチ等の各種スイッチ、ボタンにより構成されており、作業員等による各種の設定操作を受付ける。制御部２２０は、操作部２２５から入力される設定内容を基に適宜の制御を行い、必要に応じて設定内容を記憶部２２１に記憶させる。
【００４３】
以下、無線テレメータシステムの動作について説明する。
図５は参考例として示す従来の無線テレメータシステムの動作を説明する模式的説明図である。図５では簡略化のために、狭域無線網に接続された無線機を１台だけ示している。センタからメータに至る通信経路上の各機器は固有ＩＤを有する。ここで、固有ＩＤは、各機器に予め付与されているシリアル番号等の各機器固有の識別子であり、例えば１４バイトの英数字により構成される。図５の例では、メータ、無線機、ゲートウェイ無線機、ＮＣＵ、センタの固有ＩＤを「ａａａａａａａ」〜「ｅｅｅｅｅｅｅ」としている。
【００４４】
また、狭域無線網に接続されたゲートウェイ無線機及び無線機は、固有ＩＤに加え、無線機番号を有する。ここで、無線機番号は、狭域無線網内に新たな無線機が接続された場合、新たに接続された無線機を他の無線機と識別するために、図に示していない番号発行無線機によって発行される識別子であり、例えば１バイトの整数値が採用される。
【００４５】
センタからメータに対してパケットを送信する場合、センタは、ＮＣＵとの通信接続を確立させ、センタの固有ＩＤを送信元アドレス（ＳＡＤＲ）、メータの固有ＩＤを送信先アドレス（ＤＡＤＲ）としたパケットを送信する。センタから送信されるメータ宛のパケットは、広域無線網に接続されたＮＣＵを通じてゲートウェイ無線機に到達する。
【００４６】
ゲートウェイ無線機は、宛先のメータが接続されている無線機を管理するために、メータ管理テーブル及び無線機管理テーブルを備える。メータ管理テーブルでは、メータが接続されている無線機の無線機番号と、メータの固有ＩＤ（メータＩＤ）とを関連付けて記憶する。また、無線機管理テーブルでは、無線機の無線機番号と、無線機の固有ＩＤ（無線機ＩＤ）とを関連付けて記憶する。
【００４７】
ゲートウェイ無線機は、メータの固有ＩＤを宛先としたパケットをＮＣＵから受信した場合、メータ管理テーブル及び無線機管理テーブルを参照することにより、宛先のメータが接続された無線機を特定することができる。ゲートウェイ無線機は、特定した無線機の無線機番号を宛先として、受信したパケットを転送する。
【００４８】
ゲートウェイ無線機から転送されるパケットは、直接的、または、１又は複数の無線機を経由して、宛先の無線機に到達する。宛先の無線機は、接続ポートに接続されたメータ宛のパケットを受信した場合、Ｕバス等のバスラインを通じてパケットを転送する。
【００４９】
メータから検針値を含んだパケットをセンタへ送信する場合についても同様である。すなわち、メータは、メータの固有ＩＤを送信元アドレス（ＳＡＤＲ）、センタの固有ＩＤを送信先アドレス（ＤＡＤＲ）に指定することにより、狭域無線網内の各無線機、及び広域無線網に接続されるＮＣＵを通じて、検針値を含むパケットをセンタへ送信することができる。
【００５０】
センタ及びメータ間において互いの固有ＩＤを指定してパケットを送受信する従来の通信形態において、センタは、検針値を含むメータからのパケットを受信した場合、メータによる検針値をメータＩＤに関連付けて管理することが可能である。その一方で、ガス等を供給する事業者の中には、需要家の電話番号等の需要家を特定し得る情報（以下、需要家ＩＤという）を、メータＩＤに関連付けて管理していない事業者も存在する。この場合、検針値を通信により取得したとしても、どの需要家の検針値が得られたのかを特定することができないという問題点を有している。
【００５１】
そこで、本実施の形態では、メータＩＤと需要家ＩＤとの関連付けを事前に行っていない場合であっても、需要家毎の検針値を管理することができるシステムを提案する。
【００５２】
本実施の形態では、メータ２３の固有の識別子であるメータＩＤとは別に、設定ＩＤを導入する。設定ＩＤは、各メータ２３について新たに設定される任意のＩＤである。メータ２３の設定ＩＤとして、例えば、当該メータ２３が設置されている需要家を特定するための需要家ＩＤを用いることができる。
【００５３】
無線機２２は、自機に接続されたメータ２３のメータＩＤ及び設定ＩＤを関連付けて記憶する変換テーブルを備える。図６は変換テーブルの一例を示す概念図である。変換テーブルは、設定ＩＤ及びメータＩＤを関連付けて記憶したテーブルであり、無線機２２の記憶部２２１内に記憶される。無線機２２は、センタ１０からメータ２３へ送信するパケット、又はメータ２３からセンタ１０へ送信するパケットを中継する際、変換テーブルを参照して、設定ＩＤとメータＩＤとを相互に変換する。
【００５４】
例えば、送信先アドレスを設定ＩＤとしたセンタ１０からのパケットを狭域無線通信部２２２にて受信した場合、制御部２２０は、変換テーブルを参照して、送信先アドレスを設定ＩＤからメータＩＤに書き換える処理を行う。また、送信元アドレスをメータＩＤとしたメータ２３からのパケットを接続ポート２２３にて受信した場合、制御部２２０は、送信元アドレスをメータＩＤから設定ＩＤに書き換える処理を行う。以上の書き換え処理により、無線機２２からセンタ１０に至る通信経路上では、送信元アドレス又は送信先アドレスにメータ２３の設定ＩＤを使用して通信することが可能であり、無線機２２とメータ２３との間では、送信元アドレス又は送信先アドレスにメータ２３のメータＩＤを使用して通信することが可能である。
【００５５】
図７は狭域無線網Ｎ２内に無線機２２を新たに設置する際の手順を説明するタイミングチャートである。図７では、狭域無線網Ｎ２内に新たに設置する無線機２２を新設無線機、狭域無線網Ｎ２に接続済みの既存の無線機２２を既設無線機と記載している。新設無線機は、適宜の設置場所に設置され、接続ポート２２３にバスラインを介してメータ２３が接続される。
【００５６】
新設無線機は、設定ＩＤの入力を受付け（ステップＳ１０１）、受付けた設定ＩＤを変換テーブルに登録する（ステップＳ１０２）。なお、新設無線機は、操作部２２５を用いた作業員の操作により設定ＩＤを受付ける構成としてもよく、設定ＩＤを新設無線機に設定させるための設定器を接続ポート２２３に接続し、設定器を通じて設定ＩＤを受付ける構成としてもよい。
【００５７】
次いで、新設無線機は、デバイス検索を指示するために予め定められた操作を操作部２２５にて受付けた場合、接続ポート２２３に接続された各種機器を検索するためにデバイス検索を実行する（ステップＳ１０３）。メータ２３は、新設無線機からのデバイス検索に対し、メータ２３の固有のＩＤであるメータＩＤを含んだデバイス応答を返信する（ステップＳ１０４）。新設無線機は、メータ２３より返信されるデバイス応答からメータＩＤを取り出し、取り出したメータＩＤを変換テーブルに登録する（ステップＳ１０５）。
【００５８】
上述した手順では、設定ＩＤを登録した後に、メータ２３から取得したメータＩＤを登録する構成としたが、設定ＩＤ及びメータＩＤの登録順序はこの順序に限定されるものではなく、メータ２３から取得したメータＩＤを先に登録した後に、設定ＩＤを登録する構成としてもよい。
【００５９】
次に、新設無線機に対して無線機番号を付与するための処理を行う。
新設無線機及び既設無線機の双方において、番号発行起動を指示するために予め定められた操作を操作部２２５にて受付けた場合、新設無線機及び既設無線機は番号発行起動を行う（ステップＳ１０６，Ｓ１０７）。
【００６０】
新設無線機は、番号発行起動を行った後、既設無線機に対して番号発行要求を送信する（ステップＳ１０８）。なお、新設無線機は、番号発行無線機３０から発行される無線機番号を取得するまで、仮の無線機番号（例えばＦＥｈ）を用いて既設無線機との無線通信を行う。
【００６１】
既設無線機は、新設無線機から送信される番号発行要求を受信した場合、番号発行要求を受信した旨を示す番号発行応答を返信すると共に（ステップＳ１０９）、番号発行無線機３０に対して間接番号発行要求を送信する（ステップＳ１１０）。
【００６２】
番号発行無線機３０は、既設無線機から間接番号発行要求を受信した場合、新設無線機に対して付与する無線機番号（例えば未使用の無線機番号のうち最も小さな番号）を決定し、決定した無線機番号を含む間接番号発行応答を既設無線機へ返信する（ステップＳ１１１）。
【００６３】
既設無線機は、番号発行無線機３０から送信された間接番号発行応答を受信した場合、新設無線機宛の無線機番号を含む番号設定要求を新設無線機へ送信する（ステップＳ１１２）。
【００６４】
新設無線機は、既設無線機から番号設定要求を受信した場合、番号設定要求に含まれる自機宛の無線機番号を取り出し、自機の無線機番号として記憶部２２１に記憶させる（ステップＳ１１３）。また、新設無線機は、無線機番号を設定した旨の番号設定応答を既設無線機に返信する（ステップＳ１１４）。
【００６５】
新設無線機は、起動後、他の無線機２２とホップ数テーブルの交換を行い（ステップＳ１１５）、狭域無線網Ｎ２内に接続された各無線機２２の無線機番号を取得する。ホップ数テーブルの交換は隣接無線機間で順次実行される。ゲートウェイ無線機２１（ＧＷ無線機２１）を含む各無線機は、ホップ数テーブルの交換を通じて新設無線機の存在を認識することができる。このようなホップ数テーブルの交換により、新設無線機は、狭域無線網Ｎ２内の各無線機と無線機番号を用いた無線通信が可能となる。
【００６６】
ゲートウェイ無線機２１は、隣接無線機とのホップ数テーブルの交換を通じて新設無線機の存在を認識した場合、ＮＣＵ更新通知を新設無線機へ送信する（ステップＳ１１６）。
【００６７】
新設無線機は、ゲートウェイ無線機２１からのＮＣＵ更新通知を受信することにより、ゲートウェイ無線機の存在を認識した場合、ＮＣＵ更新応答を返信する（ステップＳ１１７）。また、新設無線機は、自機の変換テーブルに登録されている設定ＩＤを含むメータ更新通知をゲートウェイ無線機へ送信する（ステップＳ１１８）。
【００６８】
ゲートウェイ無線機２１は、新設無線機からメータ更新通知を受信した場合、メータ更新通知を受信した旨を示すメータ更新応答を返信すると共に（ステップＳ１１９）、メータ更新通知に含まれる設定ＩＤを取り出して記憶部２１１に記憶させる（ステップＳ１２０）。
【００６９】
また、ゲートウェイ無線機２１は、新設無線機から取得したメータ２３の設定ＩＤをセンタ１０に通知する（ステップＳ１２１）。センタ１０は、ゲートウェイ無線機２１からメータ２３の設定ＩＤが通知されることにより、該当需要家宅に無線機２２が設置されたことを認識する。
【００７０】
以上の手順により、新設無線機（無線機２２）の変換テーブルには、メータ２３のメータＩＤ及び設定ＩＤが関連付けられて登録される。また、ゲートウェイ無線機２１及びセンタ１０には、メータ２３について設定された設定ＩＤが通知される。よって、センタ１０とメータ２３との間で行う通信では、センタ１０と無線機２２との間で、送信元アドレス又は送信先アドレスにメータ２３の設定ＩＤを使用して通信することが可能であり、無線機２２とメータ２３との間では、送信元アドレス又は送信先アドレスにメータ２３のメータＩＤを使用して通信することが可能である。
【００７１】
図８はセンタ１０からメータ２３宛にパケットを送信する際の手順を説明するタイミングチャートである。センタ１０は、例えばメータ２３に対するポーリングを行う場合、ＮＣＵ２０との通信接続を確立させ、送信元アドレス（ＳＡＤＲ）をセンタＩＤ、送信先アドレス（ＤＡＤＲ）を設定ＩＤとしたパケットを送信する（ステップＳ１３１）。センタ１０から送信されたパケットは、ＮＣＵ２０及びゲートウェイ無線機２１によって転送され、送信先アドレスに対応するメータ２３が接続された無線機２２に到達する。
【００７２】
無線機２２は、メータ２３宛のパケットを受信した場合、送信先アドレスを設定ＩＤからメータＩＤに書き換え（ステップＳ１３２）、送信先アドレスを書き換えたメータ２３宛のパケットを接続ポート２２３を通じてメータ２３へ送信する（ステップＳ１３３）。
【００７３】
メータ２３は、センタ１０から送信されるパケットを受信した場合、送信元アドレスをメータＩＤ、送信先アドレスをセンタＩＤとしたセンタ１０宛の応答パケットを自機が接続された無線機２２へ送信する（ステップＳ１３４）。
【００７４】
無線機２２は、メータ２３からの応答パケットを受信した場合、送信元アドレスをメータＩＤから設定ＩＤに書き換え（ステップＳ１３５）、送信元アドレスを書き換えたセンタ１０宛の応答パケットを狭域無線通信部２２２を通じて送信する（ステップＳ１３６）。無線機２２から送信される応答パケットは、直接的に、または、１又は複数の他の無線機２２を経由して、ゲートウェイ無線機２１に到達する。
【００７５】
ゲートウェイ無線機２１に到達したセンタ１０宛の応答パケットは、ＮＣＵ２０を通じて、センタ１０へ転送される。
【００７６】
図９はメータ２３からセンタ１０宛のパケットを送信する際の手順を説明するタイミングチャートである。メータ２３は、例えば検針値を取得し、検針値を含むパケットをセンタ１０宛に送信する場合、送信元アドレスをメータＩＤ、送信先アドレスをセンタＩＤとしたセンタ１０宛のパケットを自機が接続された無線機２２へ送信する（ステップＳ１５１）。
【００７７】
無線機２２は、メータ２３からのパケットを受信した場合、送信元アドレスをメータＩＤから設定ＩＤに書き換え（ステップＳ１５２）、送信元アドレスを書き換えたセンタ１０宛のパケットを狭域無線通信部２２２を通じて送信する（ステップＳ１５３）。無線機２２から送信されるパケットは、直接的に、または、１又は複数の他の無線機２２を経由して、ゲートウェイ無線機２１に到達する。
【００７８】
ゲートウェイ無線機２１に到達したセンタ１０宛の応答パケットは、ＮＣＵ２０を通じて、センタ１０へ転送される。
【００７９】
センタ１０は、メータ２３から送信されるパケットを受信した場合、送信元アドレスをセンタＩＤ、送信先アドレスを設定ＩＤとしたメータ２３宛の応答パケットを送信する（ステップＳ１５４）。センタ１０から送信されたパケットは、ＮＣＵ２０及びゲートウェイ無線機２１によって転送され、送信先アドレスに対応するメータ２３が接続された無線機２２に到達する。
【００８０】
無線機２２は、メータ２３宛のパケットを受信した場合、送信先アドレスを設定ＩＤからメータＩＤに書き換え（ステップＳ１５５）、送信先アドレスを書き換えたメータ２３宛のパケットを接続ポート２２３を通じてメータ２３へ送信する（ステップＳ１５６）。
【００８１】
以上のように、実施の形態１では、センタ１０とメータ２３との間で行う通信において、センタ１０と無線機２２との間では、送信元アドレス又は送信先アドレスにメータ２３の設定ＩＤを使用して通信することが可能であり、無線機２２とメータ２３との間では、送信元アドレス又は送信先アドレスにメータ２３のメータＩＤを使用して通信することが可能である。よって、センタ１０では、メータ２３のメータＩＤを管理していない場合であっても、需要家を特定し得るような設定ＩＤを用いて各メータ２３からの検針値を管理することができる。
【００８２】
（実施の形態２）
実施の形態１では、無線機２２を新たに設置する際に作業員等がメータ２３の設定ＩＤを設定する構成としたが、無線機２２の固有のＩＤである無線機ＩＤから設定ＩＤを生成する構成としてもよい。
実施の形態２では、無線機２２の無線機ＩＤからメータ２３の設定ＩＤを生成し、変換テーブルに登録する構成について説明する。
【００８３】
図１０は実施の形態２における設定ＩＤの登録例を説明する説明図である。図１０Ａは需要家宅に設置された無線機２２及びメータ２３の固有ＩＤの関係を示している。需要家宅に設置されているメータ２３は、固有ＩＤとして「ａａａａａａａ」のメータＩＤを有し、このメータ２３に接続された無線機２２は、固有ＩＤとして「ｂｂｂｂｂｂ０」の無線機ＩＤを有するものとする。
【００８４】
無線機２２の制御部２２０は、出荷時等の適宜のタイミングにて、無線機ＩＤからメータ２３の設定ＩＤを生成し、生成した設定ＩＤを変換テーブルに登録する。本実施の形態では、制御部２２０は、無線機ＩＤと一部が共通するようにメータ２３のメータＩＤを設定する。例えば、無線機２２の無線機ＩＤを「ｂｂｂｂｂｂ０」とした場合、制御部２２０は、無線機ＩＤの下位一桁を異ならせた「ｂｂｂｂｂｂ１」を設定ＩＤとして生成し、変換テーブルに登録する。図１０Ｂは設定ＩＤの登録例を示している。
【００８５】
次いで、無線機２２の制御部２２０は、設置時におけるデバイス検索により、Ｕバスを介して接続ポート２２３に接続されたメータ２３からメータＩＤを取得し、取得したメータＩＤを設定ＩＤに関連付けて変換テーブルに登録する。図１０ＣはメータＩＤの登録例を示しており、設定ＩＤ「ｂｂｂｂｂｂ１」に対し、メータ２３から取得したメータＩＤ「ａａａａａａａ」を関連付けて変換テーブルに登録した状態を示している。
【００８６】
以上のように、実施の形態２では、無線機２２に予め付与されている無線機ＩＤよりメータ２３に対する設定ＩＤを設定することができるので、新設無線機を設置する都度、作業員がメータ２３の設定ＩＤを新設無線機に設定する必要がなくなり、作業員の手間を省くことができる。また、無線機ＩＤと設定ＩＤとを連番にすることにより、無線機ＩＤから設定ＩＤを類推することが可能となる。
【００８７】
なお、本実施の形態では、無線機ＩＤの下位一桁を異ならせることにより設定ＩＤを生成する構成としたが、上位一桁を異ならせてもよく、また二桁以上を異ならせてもよい。また、予め定めた関数等を利用して、無線機ＩＤから設定ＩＤを生成する構成としてもよい。
【００８８】
（実施の形態３）
実施の形態３では、無線機２２の接続ポート２２３にメータ２３を含む複数のＵバス機器が接続された形態について説明する。
【００８９】
図１１は実施の形態３における設定ＩＤの登録例を説明する説明図である。需要家宅に設置された無線機２２の接続ポート２２３には、Ｕバスを介して、メータ２３及び３台のＵバス機器２４〜２６が接続されているものとする。図１１Ａは、無線機２２、メータ２３、及びＵバス機器２４〜２６の固有ＩＤの関係を示している。需要家宅に設置されているメータ２３は、固有ＩＤとして「ａａａａａａａ」のメータＩＤを有し、このメータ２３に接続された無線機２２は、固有ＩＤとして「ｂｂｂｂｂｂ０」の無線機ＩＤを有するものとする。また、Ｕバス機器２４〜２６は、それぞれ固有ＩＤとして「ｆｆｆｆｆｆｆ」〜「ｈｈｈｈｈｈｈ」の機器ＩＤを有するものとする。
【００９０】
無線機２２の制御部２２０は、出荷時等の適宜のタイミングにて、無線機ＩＤからメータ２３の設定ＩＤを生成し、生成した設定ＩＤを変換テーブルに登録する。本実施の形態では、制御部２２０は、無線機ＩＤと一部が共通するようにメータ２３のメータＩＤを設定する。例えば、無線機２２の無線機ＩＤを「ｂｂｂｂｂｂ０」とした場合、制御部２２０は、無線機ＩＤの下位一桁を異ならせた「ｂｂｂｂｂｂ１」を設定ＩＤとして生成し、変換テーブルに登録する。図１１Ｂは設定ＩＤの登録例を示している。
【００９１】
次いで、無線機２２の制御部２２０は、設置時におけるデバイス検索により、Ｕバスを介して接続ポート２２３に接続されたメータ２３からメータＩＤを取得し、取得したメータＩＤを設定ＩＤに関連付けて変換テーブルに登録する。図１１Ｂでは、設定ＩＤ「ｂｂｂｂｂｂ１」に対し、メータ２３から取得したメータＩＤ「ａａａａａａａ」を関連付けて変換テーブルに登録した状態を示している。
【００９２】
また、デバイス検索により、メータ２３以外のＵバス機器（Ｕバス機器２４〜２６）を検出した場合、制御部２２０は、Ｕバス機器２４〜２６の設定ＩＤを無線機ＩＤから生成し、Ｕバス機器２４の機器ＩＤに関連付けて変換テーブルに登録する。図１１Ｂに示した例では、Ｕバス機器２４〜２６に「ｂｂｂｂｂｂ２」〜「ｂｂｂｂｂｂ４」の設定ＩＤを設定し、それぞれの機器ＩＤ「ｆｆｆｆｆｆｆ」〜「ｈｈｈｈｈｈｈ」に関連付けて変換テーブルに登録した状態を示している。
【００９３】
図１２は実施の形態３に係るゲートウェイ無線機２１が備えるＩＤ管理テーブルの一例を示す概念図である。従来の無線テレメータシステムでは、ゲートウェイ無線機がセンタから送信されるパケットを受信した場合、無線機の無線機ＩＤと無線機番号とを関連付けて記憶する無線機管理テーブル、及びメータのメータＩＤとメータが接続されている無線機の無線機番号とを関連付けて記憶するメータ管理テーブルを参照して、センタから受信したパケットの宛先を判別していた。
【００９４】
これに対し、実施の形態３では、無線機２２が有する無線機ＩＤと、メータ２３及びＵバス機器２４〜２６に設定された設定ＩＤとの間には関連性があるため、ゲートウェイ無線機２１において各Ｕバス機器毎に管理テーブルを有する必要はなく、１つの無線機管理テーブルにメータ２３及びＵバス機器２４〜２６の情報を纏めることができる。
【００９５】
図１２に示すＩＤ管理テーブルでは、無線機２２の無線機番号「ｙｙ」と、無線機２２を代表するＩＤ「ｂｂｂｂｂｂ＊」とを関連付けて記憶している。このＩＤの下位一桁の「＊」は任意の文字を表している。例えば、下位一桁が「０」である場合には無線機２２を表し、「１」である場合にはメータ２３を表し、「２」〜「４」である場合にはＵバス機器２４〜２６を表している。
【００９６】
ゲートウェイ無線機２１は、センタ１０から送信されるパケットを受信した場合、下位一桁を除くＩＤの共通部分より、転送先の無線機２２を判別することが可能である。
【００９７】
一方、無線機２２は、ゲートウェイ無線機２１から転送されるパケットを受信した場合、下位一桁により、自機宛のパケットであるか否かを判別することが可能である。自機宛のパケットであると判別した場合（例えば下位一桁が０の場合）、制御部２２０は、受信したパケットに応じた処理を実行する。下位一桁により、自機宛のパケットでないと判別した場合、制御部２２０は、変換テーブルを参照し、Ｕバスに接続された何れの機器宛のパケットであるのかを判別する。例えば、受信したパケットの送信先アドレスが「ｂｂｂｂｂｂ１」の場合、メータ２３宛のパケットであると判別できるので、制御部２２０は、送信先アドレスを「ｂｂｂｂｂｂ１」から「ａａａａａａａ」に書き換えて、メータ２３へ転送する。
【００９８】
以下、実施の形態３に係る無線テレメータシステムの動作を説明する。
図１３はセンタ１０からメータ２３宛にパケットを送信する際の手順を説明するタイミングチャートである。センタ１０は、例えばメータ２３に対するポーリングを行う場合、ＮＣＵ２０との通信接続を確立させ、送信元アドレス（ＳＡＤＲ）をセンタＩＤ、送信先アドレス（ＤＡＤＲ）を「ｂｂｂｂｂｂ１」としたパケットを送信する（ステップＳ３０１）。センタ１０から送信されたパケットは、ＮＣＵ２０を通じてゲートウェイ無線機２１に到達する。
【００９９】
ゲートウェイ無線機２１は、送信先アドレスの共通部分「ｂｂｂｂｂｂ」により宛先の無線機２２を判別し、判別した宛先の無線機２２へパケットを転送する。
【０１００】
無線機２２は、ゲートウェイ無線機２１から転送されるパケットを受信した場合、送信先アドレスより宛先の判別を行う（ステップＳ３０２）。具体的には、制御部２２０は、送信先アドレスの下位一桁が「０」である場合、自機宛のパケットであると判別し、下位一桁が「０」以外の場合、変換テーブルを参照して宛先の機器を判別する。図１３に示す例では、「ｂｂｂｂｂｂ１」を送信先アドレスとするパケットを受信しているので、制御部２２０は、このパケットの宛先がメータ２３であると判別することができる。
【０１０１】
メータ２３宛のパケットを受信したと判別した場合、制御部２２０は、送信先アドレスを設定ＩＤ「ｂｂｂｂｂｂ１」からメータＩＤ「ａａａａａａａ」に書き換え（ステップＳ３０３）、送信先アドレスを書き換えたパケットを接続ポート２２３を通じてメータ２３へ送信する（ステップＳ３０４）。
【０１０２】
図１３に示すタイミングチャートでは、センタ１０からメータ２３宛にパケットを送信する際の手順を示したが、センタ１０からＵバス機器２４〜２６宛にパケットを送信する際の手順についても同様であり、センタ１０及び無線機２２間では設定ＩＤを用いて通信を行い、無線機２２及びＵバス機器２４〜２６間では機器固有の固有ＩＤを用いて通信を行う。また、メータ２３がセンタ１０からのパケットを受信した場合、実施の形態１と同様の手順にて、応答パケットを返信してもよいことは勿論のことである。
【０１０３】
以上のように、実施の形態３では、設定ＩＤの上位桁により無線機２２宛のパケットであるのか、無線機２２に接続された機器宛のパケットであるのかを判別することができるので、ゲートウェイ無線機２１において無線機２２に接続された各Ｕバス機器を管理するための管理テーブルを個別に備える必要はなく、１つのＩＤ管理テーブルで管理することが可能であり、メモリ容量の削減を図ることができる。また、メータ２３以外のＵバス機器２４〜２６を指定するために、サブアドレスを用いる必要がなくなるので、データ長の短縮を図ることができる。
【０１０４】
なお、実施の形態３では、無線機２２にＵバスを介して接続された機器（メータ２３及びＵバス機器２４〜２６）に対して設定ＩＤを付与し、変換テーブルを用いて管理する構成としたが、固有ＩＤを持たない従来の機器についても、設定ＩＤを付与することにより管理する構成としてもよい。
【０１０５】
図１４は固有ＩＤを持たない機器の登録例を説明する説明図である。図１４Ａは、上述したメータ２３、Ｕバス機器２４〜２６以外に、固有ＩＤを持たない５ビットメータ２７、８ビットメータ２８、接点機器２９が無線機２２に接続された状態を示している。
【０１０６】
無線機２２の制御部２２０は、固有ＩＤを持たない機器（図１４Ａの例では、５ビットメータ２７、８ビットメータ２８、及び接点機器２９）の接続を検出した場合、無線機ＩＤの下位一桁を異ならせた設定ＩＤを付与し、機器名等の各機器を識別する情報と共に変換テーブルに登録する。図１４Ｂに示す変換テーブルでは、５ビットメータ２７に対して、設定ＩＤ「ｂｂｂｂｂｂ５」が付与され、機器名「５ビットメータ」と共に変換テーブルに登録された状態を示している。８ビットメータ２８及び接点機器２９についても同様である。
【０１０７】
以上の構成により、固有ＩＤを持たない従来の機器に対しても、Ｕバス通信のフォーマット上で機器の分類が可能となる。
【０１０８】
（実施の形態４）
実施の形態１〜３では、無線機２２を新規設置する際に設定ＩＤを割り当てる構成について説明したが、以下の実施の形態では、無線機２２を交換する際に、元の無線機２２に割り当てられていた無線機番号と同一の無線機番号を交換後の無線機２２に割り当てる構成について説明する。
【０１０９】
従来、狭域無線網内に接続済みの無線機を取り外し、取り外した無線機の代わりに新たな無線機を接続した場合、この無線機には新たな無線機番号が付与される（例えば、特開２０１０−２８１７７号公報を参照）。交換された新たな無線機の存在は、各無線機同士のホップ数テーブルの交換を経て、既存の無線機により認識される。
【０１１０】
このため、従来では、各無線機が通信可能なタイミングで自発的に行うホップ数テーブルの交換が完了するまで、新たな無線機による通信を開始させることはできない。すなわち、無線機を交換した場合であっても、交換直後に運用を開始することはできず、運用の開始には新規設置時と同等の時間を要する。
【０１１１】
このような課題を解決するために、実施の形態４に係る無線テレメータシステムでは、無線機２２を交換する際、元の無線機２２に割り当てられていた無線機番号と同一の無線機番号を交換後の無線機２２に割り当てる。交換前の無線機２２に割り当てられていた無線機番号を交換後の無線機２２に割り当てることにより、ホップ数テーブルの交換を行わずに通信を開始することができ、交換直後の運用開始が可能となる。
【０１１２】
以下では、狭域無線網Ｎ２に接続済みの無線機２２を既設無線機、既設無線機に代えて狭域無線網Ｎ２に接続する無線機２２を交換無線機という。実施の形態４では、交換無線機からの番号発行要求（交換用番号取得要求）をゲートウェイ無線機２１へ転送し、ゲートウェイ無線機２１から交換無線機に対し、交換前の既設無線機に付与されていた無線機番号を通知する。
【０１１３】
図１５は交換無線機に対する無線機番号の設定手順を説明するタイミングチャートである。交換無線機は、既設無線機に代えて設置され、接続ポート２２３にバスラインを介してメータ２３が接続される。
【０１１４】
交換無線機は、デバイス検索を指示するために予め定められた操作を操作部２２５にて受付けた場合、接続ポート２２３に接続されたデバイスを検索するためにデバイス検索を実行する（ステップＳ４０１）。メータ２３は、交換無線機からのデバイス検索に対し、メータ２３の固有のＩＤであるメータＩＤを含んだデバイス応答を返信する（ステップＳ４０２）。交換無線機は、メータ２３より返信されるデバイス応答からメータＩＤを取り出し、取り出したメータＩＤを記憶部２２１に記憶する（ステップＳ４０３）。
【０１１５】
次に、交換無線機に対して無線機番号を設定するための処理を行う。
交換無線機及び既設無線機の双方において、交換番号取得起動を指示するために予め定められた操作を操作部２２５にて受付けた場合、交換無線機及び既設無線機は交換番号取得起動を行う（ステップＳ４０４，Ｓ４０５）。
【０１１６】
交換無線機は、交換番号取得起動を行った後、ステップＳ４０３で取得したメータ２３のメータＩＤを含む番号取得要求を既設無線機へ送信する（ステップＳ４０６）。なお、新設無線機は、自機宛の無線機番号を取得するまで、仮の無線機番号（例えばＦＥｈ）を用いて既設無線機との無線通信を行う。
【０１１７】
既設無線機は、交換無線機から送信される番号取得要求を受信した場合、番号取得要求を受信した旨を示す番号取得応答を返信し（ステップＳ４０７）、ゲートウェイ無線機２１へ番号取得要求を転送する（ステップＳ４０８）。
【０１１８】
ゲートウェイ無線機２１は、既設無線機から番号取得要求を受信した場合、交換無線機に対して付与する無線機番号を決定する。このとき、ゲートウェイ無線機２１は、記憶部２１１が備えるメータ管理テーブル及び無線機管理テーブルを参照して、交換無線機に付与する無線機番号を決定する。
【０１１９】
図１６は交換前の無線機２２に関するメータ管理テーブル及び無線機管理テーブルの一例を示す概念図である。交換前の無線機２２の無線機ＩＤが「ｂｂｂｂｂｂｂ」、無線機番号が「ｙｙ」、接続されているメータ２３のメータＩＤが「ａａａａａａａ」であった場合、ゲートウェイ無線機２１が備えるメータ管理テーブルには、無線機番号「ｙｙ」及びメータＩＤ「ａａａａａａａ」が関連付けられて記憶されおり、無線機管理テーブルには、無線機番号「ｙｙ」及び無線機ＩＤ「ｂｂｂｂｂｂｂ」が関連付けられて記憶されている。
【０１２０】
ゲートウェイ無線機２１は、既設無線機から番号取得要求を受信した場合、メータ管理テーブルを参照し、番号取得要求に含まれるメータＩＤに関連付けられて記憶されている無線機番号を取得する。ゲートウェイ無線機２１は、取得した無線機番号を、交換無線機に付与する無線機番号として決定する。
【０１２１】
ゲートウェイ無線機２１は、決定した無線機番号を含む番号取得応答を既設無線機へ返信する（ステップＳ４０９）。
【０１２２】
既設無線機は、ゲートウェイ無線機２１から送信された番号取得応答を受信した場合、交換無線機宛の無線機番号を含む番号設定要求を交換無線機へ送信する（ステップＳ４１０）。
【０１２３】
交換無線機は、既設無線機から番号設定要求を受信した場合、番号設定要求に含まれる自機宛の無線機番号を取り出し、自機の無線機番号として記憶部２２１に記憶させる（ステップＳ４１１）。また、交換無線機は、無線機番号を設定した旨の番号設定応答を既設無線機に返信する（ステップＳ４１２）。狭域無線網Ｎ２内の各無線機２２は、通信相手を無線機番号により指定して無線通信を行うので、交換無線機がゲートウェイ無線機２１から自機宛の無線機番号を取得した時点で、他の無線機２２との通信が可能となる。
【０１２４】
交換無線機は、起動後の適宜のタイミングで、他の無線機２２とホップ数テーブルの交換を行う（ステップＳ４１３）。交換無線機は、他の無線機２２とのホップ数テーブルの交換を通じて、ゲートウェイ無線機２１の存在を認識した場合、交換無線機の無線機ＩＤを含む無線機更新通知をゲートウェイ無線機２１へ送信する（ステップＳ４１４）。
【０１２５】
ゲートウェイ無線機２１は、交換無線機からの無線機更新通知を受信した場合、無線機更新通知を受信した旨を示す無線機更新応答を交換無線機へ返信すると共に（ステップＳ４１５）、受信した無線機更新通知に含まれる無線機ＩＤを基に無線機管理テーブルを更新する（ステップＳ４１６）。
【０１２６】
図１７は交換後の無線機２２に関するメータ管理テーブル及び無線機管理テーブルの一例を示す概念図である。ゲートウェイ無線機２１の制御部２１０は、無線機更新通知により交換無線機の無線機ＩＤを取得した場合、記憶部２１１が備える無線機管理テーブルを更新する。例えば、交換前の無線機２２の無線機ＩＤが「ｂｂｂｂｂｂｂ」であり、交換無線機の無線機ＩＤが「ｚｚｚｚｚｚｚ」である場合、無線機管理テーブルの無線機ＩＤの欄を「ｂｂｂｂｂｂｂ」から「ｚｚｚｚｚｚｚ」に書き換える処理を行う。
【０１２７】
ゲートウェイ無線機２１は、無線機管理テーブルの更新を行った後、交換無線機の無線機ＩＤ及びメータＩＤをセンタ１０に通知する（ステップＳ４１７）。センタ１０は、ゲートウェイ無線機２１から通知される無線機ＩＤ及びメータＩＤを記憶装置に記憶させる。
【０１２８】
また、交換無線機は、番号発行無線機３０に対して、交換無線機の無線機ＩＤを含む無線機更新通知を送信する（ステップＳ４１８）。
【０１２９】
番号発行無線機３０は、交換無線機からの無線機更新通知を受信した場合、無線機更新通知を受信した旨を示す無線機更新応答を交換無線機へ返信すると共に（ステップＳ４１９）、受信した無線機更新通知に含まれる無線機ＩＤを無線機番号に関連付けて記憶する（ステップＳ４２０）。
【０１３０】
以上のように、実施の形態４では、既設無線機に代えて新たな無線機２２を接続する際、既設無線機に割り当てられていた無線機番号と同一の無線機番号を交換後の無線機２２に割り当てる構成であるため、無線機番号を指定して無線通信を行う狭域無線網Ｎ２内の各無線機は、交換無線機とホップ数テーブルの交換を行わずに通信を開始することが可能となる。また、既設無線機に代えて交換無線機を設置する際、既設無線機の記憶部２２１に記憶された無線機を読み出し、交換無線機にコピーするといった設置場所での作業が不要となる。
【０１３１】
なお、本実施の形態では、交換無線機から既設無線機に対して番号取得要求を送信する際、交換無線機は、交換番号取得起動を指示するために予め定められた操作を操作部２２５にて受付ける構成としたが、交換番号取得起動を指示するためのスイッチを操作部２２５に設け、このスイッチが押下操作された場合に、交換番号取得起動を指示するために予め定められた操作を受付けたと判断してもよい。
【０１３２】
また、交換無線機用の無線機番号の取得と、新設無線機用の無線機番号の取得とを切り分けるために、それぞれ専用のスイッチを操作部２２５に設けてもよい。例えば、交換番号取得起動に係るスイッチが押下操作された場合、無線機２２（交換無線機）は、既設無線機を介してゲートウェイ無線機２１に番号取得要求を行い、番号発行起動に係るスイッチが押下操作された場合、無線機２２（新設無線機）は、既設無線機を介して番号発行無線機３０に対して番号発行要求を行う。
【０１３３】
更に、交換無線機用の無線機番号の取得と、新設無線機用の無線機番号の取得とを切り分けるために、交換番号取得起動モードと番号発行起動モードとを切り替える切替スイッチを操作部２２５に設けてもよい。例えば、交換番号取得モードに切り替えた後に起動指示が操作部２２５から与えられた場合、無線機２２（交換無線機）は、既設無線機を介してゲートウェイ無線機２１に番号取得要求を行い、番号発行モードに切り替えた後に起動指示が操作部２２５から与えられた場合、無線機２２（新設無線機）は、既設無線機を介して番号発行無線機３０に対して番号発行要求を行う。
【０１３４】
更に、番号発行起動を行える無線機２２とは別に、交換専用の無線機２２を用意してもよい。この場合、既設無線機に代えて交換する無線機２２は、交換専用の無線機２２となる。交換専用の無線機２２は、交換番号取得起動を指示するために予め定められた操作を操作部２２５にて受付けた場合、上述した手順にて交換用の無線機番号をゲートウェイ無線機２１から取得する。
【０１３５】
（実施の形態５）
実施の形態５では、無線機２２が狭域無線網Ｎ２内に設置された際、自機が交換無線機であるのか、新設無線機であるのかを判別する構成について説明する。
【０１３６】
図１８は設置時に無線機２２が実行する処理の手順を説明するフローチャートである。無線機２２は、適宜の設置場所に設置され、デバイス検索を行った後、自機宛の無線機番号を取得するために予め定められた操作（番号取得操作）を操作部２２５にて受付ける（ステップＳ５０１）。
【０１３７】
無線機２２は、番号取得操作を受付けた場合、狭域無線通信部２２２を通じて、無線機番号に係る番号取得要求を既設端末を介してゲートウェイ無線機２１へ送信する（ステップＳ５０２）。この番号取得要求には、無線機２２に接続されているメータ２３のメータＩＤが付加される。番号取得要求は、実施の形態４と同様の手順により、既設無線機を介してゲートウェイ無線機２１に到達する。
【０１３８】
ゲートウェイ無線機２１は、既設無線機から番号取得要求を受信した場合、メータ管理テーブルを参照し、番号取得要求に含まれるメータＩＤに関連付けられた無線機番号の有無を判断する。メータＩＤに関連付けられた無線機番号が存在する場合、ゲートウェイ無線機２１は、無線機番号を含む番号取得応答を返信する。また、メータＩＤに関連付けられた無線機番号が存在しない場合、ゲートウェイ無線機２１は、その旨を含む番号取得応答を返信する。
【０１３９】
無線機２２の制御部２２０は、既設無線機を通じてゲートウェイ無線機２１から返信される番号取得応答に自機宛の無線機番号が含まれているか否かを判断する（ステップＳ５０３）。含まれていると判断した場合（Ｓ５０３：ＹＥＳ）、制御部２２０は、その無線機番号を自機の無線機番号として設定する（ステップＳ５０５）。
【０１４０】
一方、番号取得応答に自機宛の無線機番号が含まれていない場合（Ｓ５０３：ＮＯ）、制御部２２０は、通常の番号発行通信を実行する（ステップＳ５０４）。すなわち、無線機２２は、既設無線機を通じて番号発行無線機３０に対して番号発行要求を行い、自機宛の無線機番号を取得するための通信を行う。番号発行通信により、自機宛の無線機番号を番号発行無線機３０から取得した場合、制御部２２０は、その無線機番号を自機の無線機番号として設定する（Ｓ５０５）。
【０１４１】
以上のように、実施の形態５では、無線機２２が交換用であるか、新規設置用であるかを意識することなく設置することができる。
【０１４２】
（実施の形態６）
実施の形態５では、無線機２２からゲートウェイ無線機２１に対して番号取得要求を行い、自機宛の無線機番号が得られなかった場合、番号発行無線機３０に対して番号発行要求を行う構成としたが、ゲートウェイ無線機２１が番号発行機能を有する場合、交換無線機に対する無線機の割り当て、及び新設無線機に対する無線機番号の発行を、ゲートウェイ無線機２１の内部で完結することができる。
実施の形態５では、ゲートウェイ無線機２１が番号発行機能を有する構成について説明する。
【０１４３】
図１９は無線機２２に対する無線機番号の設定手順を説明するタイミングチャートである。無線機２２（交換無線機又は新設無線機）は、デバイス検索を指示するために予め定められた操作を操作部２２５にて受付けた場合、接続ポート２２３に接続されたデバイスを検索するためにデバイス検索を実行する（ステップＳ６０１）。メータ２３は、無線機２２からのデバイス検索に対し、メータ２３の固有のＩＤであるメータＩＤを含んだデバイス応答を返信する（ステップＳ６０２）。無線機２２は、メータ２３より返信されるデバイス応答からメータＩＤを取り出し、取り出したメータＩＤを記憶部２２１に記憶する（ステップＳ６０３）。
【０１４４】
次に、無線機２２に対して無線機番号を設定するための処理を行う。
無線機２２及び既設無線機の双方において、番号取得起動を指示するために予め定められた操作を操作部２２５にて受付けた場合、無線機２２及び既設無線機は交換番号取得起動を行う（ステップＳ６０４，Ｓ６０５）。
【０１４５】
無線機２２は、番号取得起動を行った後、ステップＳ６０３で取得したメータ２３のメータＩＤを含む番号取得要求を既設無線機へ送信する（ステップＳ６０６）。なお、無線機２２は、自機宛の無線機番号を取得するまで、仮の無線機番号（例えばＦＥｈ）を用いて既設無線機との無線通信を行う。
【０１４６】
既設無線機は、無線機２２から送信される番号取得要求を受信した場合、番号取得要求を受信した旨を示す番号取得応答を返信し（ステップＳ６０７）、ゲートウェイ無線機２１へ番号取得要求を転送する（ステップＳ６０８）。
【０１４７】
ゲートウェイ無線機２１は、既設無線機から番号取得要求を受信した場合、無線機２２に対して付与する無線機番号を決定する。このとき、ゲートウェイ無線機２１は、記憶部２１１が備えるメータ管理テーブル及び無線機管理テーブルを参照して、無線機２２に付与する無線機番号を決定する。
【０１４８】
このとき、ゲートウェイ無線機２１の制御部２１０は、メータ管理テーブルを参照し、番号取得要求に含まれるメータＩＤに関連付けられた無線機番号を検索する。メータＩＤに関連付けられた無線機番号が存在する場合、制御部２１０は、メータ管理テーブルから得られた無線機番号を無線機２２に付与する無線機番号として決定する。一方、メータＩＤに関連付けられた無線機番号が存在しない場合、制御部２１０は、既設無線機から受信した番号取得要求が新設無線機から送信されたものと判断し、新設無線機に付与する無線機番号（例えば未使用の無線機番号のうち最も小さな番号）を発行する。
【０１４９】
ゲートウェイ無線機２１は、決定した無線機番号を含む番号取得応答を既設無線機へ返信する（ステップＳ６０９）。
【０１５０】
既設無線機は、ゲートウェイ無線機２１から送信された番号取得応答を受信した場合、無線機２２宛の無線機番号を含む番号設定要求を無線機２２へ送信する（ステップＳ６１０）。
【０１５１】
無線機２２は、既設無線機から番号設定要求を受信した場合、番号設定要求に含まれる自機宛の無線機番号を取り出し、自機の無線機番号として記憶部２２１に記憶させる（ステップＳ６１１）。また、無線機２２は、無線機番号を設定した旨の番号設定応答を既設無線機に返信する（ステップＳ６１２）。狭域無線網Ｎ２内の各無線機２２は、通信相手を無線機番号により指定して無線通信を行うので、無線機２２がゲートウェイ無線機２１から自機宛の無線機番号を取得した時点で、他の無線機２２との通信が可能となる。
【０１５２】
無線機２２は、起動後の適宜のタイミングで、他の無線機２２とホップ数テーブルの交換を行う（ステップＳ６１３）。無線機２２は、他の無線機２２とのホップ数テーブルの交換を通じて、ゲートウェイ無線機２１の存在を認識した場合、無線機２２の無線機ＩＤを含む無線機更新通知をゲートウェイ無線機２１へ送信する（ステップＳ６１４）。
【０１５３】
ゲートウェイ無線機２１は、無線機２２からの無線機更新通知を受信した場合、無線機更新通知を受信した旨を示す無線機更新応答を無線機２２へ返信すると共に（ステップＳ６１５）、受信した無線機更新通知に含まれる無線機ＩＤを基に無線機管理テーブルを更新する（ステップＳ６１６）。
【０１５４】
また、ゲートウェイ無線機２１は、無線機管理テーブルの更新を行った後、無線機２２の無線機ＩＤ及びメータＩＤをセンタ１０に通知する（ステップＳ６１７）。センタ１０は、ゲートウェイ無線機２１から通知される無線機ＩＤ及びメータＩＤを記憶装置に記憶させる。
【０１５５】
以上のように、実施の形態６では、無線機２２が交換用であるか、新規設置用であるかを意識することなく設置することができる。また、ゲートウェイ無線機２１において交換無線機からの番号取得要求であるか、新設無線機からの番号取得要求であるかを判別するため、設置対象の無線機２２が交換用又は新規設置用の何れであっても、一度の番号取得要求により自機宛の無線機番号を取得することができる。
【０１５６】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【０１５７】
以上の実施の形態に関し、更に以下の付記を開示する。
【０１５８】
本願の無線機は、メータを接続する接続部（２２３）と、他の無線機（２１）と無線通信を行う無線通信部（２２２）とを備え、前記接続部（２２３）に接続されたメータ（２３）と前記他の無線機（２１）との間で、送信元アドレス又は送信先アドレスに前記メータ（２３）の識別子が指定されたパケットを中継する無線機（２２）において、前記メータ（２３）の固有の識別子である固有ＩＤ、及び前記メータ（２３）について設定された識別子である設定ＩＤを関連付けて記憶する記憶部（２２１）と、前記メータ（２３）から受信したパケットの送信元アドレスに前記固有ＩＤが指定されている場合、該固有ＩＤを前記設定ＩＤに書き換え、前記他の無線機（２１）から受信したパケットの送信先アドレスに前記設定ＩＤが指定されている場合、該設定ＩＤを前記固有ＩＤに書き換えるアドレス書換部（２２０）とを備えることを特徴とする。
【０１５９】
本願では、センタとメータとの間で行う通信において、センタ及び無線機間では、送信元アドレス又は送信先アドレスにメータの設定ＩＤを使用して通信することが可能であり、無線機及びメータ間では、送信元アドレス又は送信先アドレスにメータの固有ＩＤを使用して通信することが可能である。よって、センタでは、メータの固有ＩＤ（メータＩＤ）を管理していない場合であっても、需要家を特定し得るような設定ＩＤを用いて各メータからの検針値を管理することができる。
【０１６０】
本願の無線機は、自機の固有の識別子である無線機ＩＤを記憶するＩＤ記憶部（２２１）と、該ＩＤ記憶部（２２１）に記憶された無線機ＩＤから前記メータ（２３）の設定ＩＤを生成するＩＤ生成部（２２０）を備え、前記ＩＤ生成部（２２０）が生成した前記設定ＩＤを前記固有ＩＤに関連付けて前記記憶部（２２１）に記憶させることを特徴とする。
【０１６１】
本願では、作業員により設定ＩＤを設定する手間を省くことができる。
【０１６２】
本願の無線機は、前記ＩＤ生成部（２２０）は、前記無線機ＩＤと一部が共通する設定ＩＤを生成することを特徴とする。
【０１６３】
本願では、ゲートウェイ無線機において無線機を管理するための管理テーブル、及び無線機に接続された機器を管理するための管理テーブルを備える必要はなく、１つの管理テーブルで無線機及び無線機に接続された機器を管理できるので、メモリ容量の削減を図ることができる。また、メータ以外の機器を指定するために、サブアドレスを用いる必要がなくなるので、データ長の短縮を図ることができる。
【０１６４】
本願の無線テレメータシステムは、メータ（２３）が接続されたメータ接続無線機（２２）と、該メータ接続無線機（２２）と無線網（Ｎ２）を介して通信可能であると共に、前記無線網（Ｎ２）とは異なる通信網（Ｎ１）に接続された外部通信装置（１０）と通信可能であるゲートウェイ無線機（２１）とを備え、前記メータ（２３）と前記外部通信装置（１０）との間で送受され、送信元アドレス又は送信先アドレスに前記メータの識別子が指定されたパケットを前記メータ接続無線機（２２）及び前記ゲートウェイ無線機（２１）により中継する無線テレメータシステムにおいて、前記メータ接続無線機（２２）は、前記メータ（２３）の固有の識別子である固有ＩＤ、及び前記メータ（２３）について設定された識別子である設定ＩＤを関連付けて記憶する記憶部（２２１）と、前記メータ（２３）から受信したパケットの送信元アドレスに前記固有ＩＤが指定されている場合、該固有ＩＤを前記設定ＩＤに書き換え、前記無線網（Ｎ２）を通じて受信したパケットの送信先アドレスに前記設定ＩＤが指定されている場合、該設定ＩＤを前記固有ＩＤに書き換えるアドレス書換部（２２０）とを備えることを特徴とする。
【０１６５】
本願では、センタとメータとの間で行う通信において、センタ及び無線機間では、送信元アドレス又は送信先アドレスにメータの設定ＩＤを使用して通信することが可能であり、無線機及びメータ間では、送信元アドレス又は送信先アドレスにメータの固有ＩＤを使用して通信することが可能である。よって、センタでは、メータの固有ＩＤ（メータＩＤ）を管理していない場合であっても、需要家を特定し得るような設定ＩＤを用いて各メータからの検針値を管理することができる。
【０１６６】
本願の無線テレメータシステムは、前記メータ接続無線機（２２）は、前記無線網（Ｎ２）内で前記メータ接続無線機（２２）を識別するために付与された無線機番号と、前記メータ接続無線機（２２）の固有の識別子である無線機ＩＤとを記憶するＩＤ記憶部（２２１）と、該ＩＤ記憶部（２２１）に記憶された無線機ＩＤと一部が共通するように前記メータ（２３）の設定ＩＤを生成するＩＤ生成部（２２０）とを備え、前記ゲートウェイ無線機（２１）は、前記無線機ＩＤ及び前記設定ＩＤの共通部分を、前記無線機番号に関連付けて記憶するテーブルを備えることを特徴とする。
【０１６７】
本願では、ゲートウェイ無線機において無線機を管理するための管理テーブル、及び無線機に接続された機器を管理するための管理テーブルを備える必要はなく、１つの管理テーブルで無線機及び無線機に接続された機器を管理できるので、メモリ容量の削減を図ることができる。また、メータ以外の機器を指定するために、サブアドレスを用いる必要がなくなるので、データ長の短縮を図ることができる。
【符号の説明】
【０１６８】
１０  センタ
２０  ＮＣＵ
２１  ゲートウェイ無線機
２２  無線機
２３  メータ
２４〜２６  Ｕバス機器
３０  番号発行無線機
２００，２１０，２２０  制御部
２０１，２１１，２２１  記憶部
２０２  広域無線通信部
２０３，２１２  接続部
２０４，２１４，２２４  表示部
２０５，２１５，２２５  操作部
２１３，２２２  狭域無線通信部
２２３  接続ポート
２２９  電池
【図１】
0006587507.tif 000002
【図２】
0006587507.tif 000003
【図３】
0006587507.tif 000004
【図４】
0006587507.tif 000005
【図５】
0006587507.tif 000006
【図６】
0006587507.tif 000007
【図７】
0006587507.tif 000008
【図８】
0006587507.tif 000009
【図９】
0006587507.tif 000010
【図１０】
0006587507.tif 000011
【図１１】
0006587507.tif 000012
【図１２】
0006587507.tif 000013
【図１３】
0006587507.tif 000014
【図１４】
0006587507.tif 000015
【図１５】
0006587507.tif 000016
【図１６】
0006587507.tif 000017
【図１７】
0006587507.tif 000018
【図１８】
0006587507.tif 000019
【図１９】
0006587507.tif 000020